(57)【要約】【課題】屋根板材に引掛け取着した引掛け係止体に、回動可能に引掛けた保持機構にプランターを水平状態を確保しながら嵌挿し花壇として利用し、冬季になったらプランターのみを取外してＬ型アングルを挿通して雪止めに利用し、花壇と雪止めを併用できる雪止め金具兼用プランター等保持具を提供する。【解決手段】板状支持部の上方部の前面部に開口状にして、内側方に切欠する引掛け係止部を有し、内側部にＬ型アングルが挿通する嵌挿孔を、下方部に屋根板材に引掛け係止する引掛け部を前方端部に形成する脚部からなる引掛け係止体を設け、引掛け係止体の引掛け係止部に挿入し引掛ける引掛け部を両端部に設け、引掛け部の間に、プランター等の保持部を有するプランター保持機構を設け、引掛け係止体を所定の間隔を設けて屋根板材の前方端縁部に引掛けた後、引掛け係止体の引掛け係止部にプランター保持機構の引掛け部を挿入したり、あるいはプランター保持機構を取外しＬ型アングルを挿通せしめる。【選択図】      図１
2005016049.tif 000002
【特許請求の範囲】
【請求項１】
板状支持部の上方部の前面部に開口状にして、且内側方に切欠する引掛け係止部を有し、内側部にＬ型アングルが挿通する嵌挿孔を、下方部に屋根板材に引掛け係止する引掛け部を前方端部に形成する脚部からなる引掛け係止体を設け、前記引掛け係止体の引掛け係止部に挿入し引掛ける引掛け部を両端部に設け、前記引掛け部の間に、プランター等の保持部を有するプランター保持機構を設け、前記引掛け係止体を所定の間隔を設けて屋根板材の前方端縁部に引掛けた後、前記引掛け係止体の引掛け係止部に前記プランター保持機構の引掛け部を挿入したり、あるいは前記プランター保持機構を取外しＬ型アングルを挿通せしめることを特徴とする雪止め金具兼用プランター等保持具。
【請求項２】
前記引掛け係止体の引掛け係止部は、前記プランター保持機構の引掛け部が挿入したら容易に離脱しないように凹部を１個ないし複数形成することを特徴とする請求項１記載の雪止め金具兼用プランター等保持具。
【請求項３】
前記引掛け係止体の下方部の端部を、直角状に折曲して水平状の折曲状底部を形成すると共に、前記脚部は板状とし、前記折曲状底部と脚部とを接着せしめることを特徴とする請求項１又は請求項２記載の雪止め金具兼用プランター等保持具。
【請求項４】
前記引掛け係止体の嵌挿孔を、３角形状にすることを特徴とする請求項１又は請求項２又は請求項３記載の雪止め金具兼用プランター等保持具。
【請求項５】
前記プランター保持機構は、プランター等の底壁面部を保持する保持部と、前記保持部の左側端部と右側端部とを上方に折曲して折曲部を夫々形成し、且前記両折曲部に引掛け部を取着し、前記プランター等の前方壁面部と後方壁面部を保持する前方保持部と後方保持部を形成せしめることを特徴とする請求項１又は請求項２又は請求項３又は請求項４記載の雪止め金具兼用プランター等保持具。
【発明の詳細な説明】
【０００１】
【発明の属する技術分野】
本発明は、屋根上に取着したときは、プランターをプランター保持部に嵌挿し花壇として利用し、降雪地域においては、冬季になったら前記プランター保持部を取外し、Ｌ型アングルを挿通し雪止め金具として利用すること、さらに屋根以外の野外の壁面に取着して、プランターが容易に離脱しないようにセットし、花壇として利用できること、また室内の壁面に取付け、プランターに小物や小道具入れ等として利用できるようにした。
【０００２】
【従来の技術】
従来プランター保持具として、さらに雪止め金具として併用できるものとして、本件出願人が出願した特願２００２−０７４８６がある。
【０００３】
前記出願のものは、プランターを保持する機構が、複雑であり、しかも取り付け作業が煩雑であった。
【０００４】
さらに前記出願のものは、プランターを取外すと、プランターの保持機構そのものが雪止め金具として機能するものであり、しかもＬ型アングルを挿通し雪止めをすることが不可能であった。
【０００５】
そのため雪止めの機能はアングル保持機構のみが負担するだけであった。
【０００６】
さらに前記アングル保持機構は、降雪を阻止するが、構造上降雪の圧力に十分耐えることができず、部分的に折曲するおそれもあった。
【０００７】
また前記のように部分的に折曲し損傷したものを修復する作業は、屋根上での作業のため足場が悪く、困難を極めるおそれがあった。
【０００８】
【発明が解決しようとする課題】
本発明は、屋根板材に引掛け取着した引掛け係止体に、回動可能に引掛けた保持機構にプランターを水平状態を確保しながら嵌挿し花壇として利用し、冬季になったら前記プランターのみを取外してＬ型アングルを挿通せしめて雪止めとして利用し、花壇と雪止めとを併用できるようにした。
【０００９】
さらに本発明は、冬季になって雪止め具として利用するときは、プランターとプランター保持機構全部を取外し降雪の圧力によって前記プランターや保持機構が圧潰したり、降雪と共に落下のおそれを解消せしめた。
【００１０】
また本発明のプランター保持機構は、一旦取付られると、引掛け係止体から容易に離脱しないものである。
【００１１】
さらに本発明は、屋根板材に引掛けて使用する以外に室内の壁面や、建築物の側壁面に止め具等を介して取着しプランター保持具として、あるい小物や小道具入れ、書類等を収納して利用できるようにしたものである。
【００１２】
【課題を解決するための手段】
請求項１記載の発明は、板状支持部の上方部の前面部に開口状にして、且内側方に切欠する引掛け係止部を有し、内側部にＬ型アングルが挿通する嵌挿孔を、下方部に屋根板材に引掛け係止する引掛け部を前方端部に形成する脚部からなる引掛け係止体を設け、前記引掛け係止体の引掛け係止部に挿入し引掛ける引掛け部を両端部に設け、前記引掛け部の間に、プランター等の保持部を有するプランター保持機構を設け、前記引掛け係止体を所定の間隔を設けて屋根板材の前方端縁部に引掛けた後、前記引掛け係止体の引掛け係止部に前記プランター保持機構の引掛け部を挿入したり、あるいは前記プランター保持機構を取外しＬ型アングルを挿通せしめることを特徴とする雪止め金具兼用プランター等保持具である。
【００１３】
請求項２記載の発明は、前記引掛け係止体の引掛け係止部は、前記プランター保持機構の引掛け部が挿入したら容易に離脱しないように凹部を１個ないし複数形成することを特徴とする請求項１記載の雪止め金具兼用プランター等保持具である。
【００１４】
請求項３記載の発明は、前記引掛け係止体の下方部の端部を、直角状に折曲して水平状の折曲状底部を形成すると共に、前記脚部は板状とし、前記折曲状底部と脚部とを接着せしめることを特徴とする請求項１又は請求項２記載の雪止め金具兼用プランター等保持具である。
【００１５】
請求項４記載の発明は、前記引掛け係止体の嵌挿孔を、３角形状にすることを特徴とする請求項１又は請求項２又は請求項３記載の雪止め金具兼用プランター等保持具である。
【００１６】
請求項５記載の発明は、前記プランター保持機構は、プランター等の底壁面部を保持する保持部と、前記保持部の左側端部と右側端部とを上方に折曲して折曲部を夫々形成し、且前記両折曲部に引掛け部を取着し、前記プランター等の前方壁面部と後方壁面部を保持する前方保持部と後方保持部を形成せしめることを特徴とする請求項１又は請求項２又は請求項３又は請求項４記載の雪止め金具兼用プランター等保持具である。
【００１７】
【発明の実施の形態】
請求項１〜５記載の発明に関する実施の形態は共通しているので、以下のとおり一括して説明する。
【００１８】
ａは本発明を構成する構成部材の引掛け係止体であり、以下の構成からなっている。
【００１９】
前記引掛け係止体ａは、通常鋼板の板状支持部１と脚部２とから構成されている。そして前記板状支持部１の上方部３の前面部３ａには、開口状にして、且内側方に切欠状にした引掛け係止部４を設ける。この引掛け係止部４は凹部５を１個ないし２個形成する。２個形成のときは、凹部５内に凸部６が形成される。
【００２０】
さらに前記板状支持部１の前方側面部７は垂直状にて形成する。
【００２１】
また前記板状支持部１の内側部にＬ型アングルｃを挿通する３角形状の嵌挿孔８を形成する。この嵌挿孔８は、Ｌ型アングルｃの垂直部１０が接触する垂直接触面９が図面図示のように垂直状前方側面部７と平行状に形成する。そのため前記Ｌ型アングルｃの水平面１１が接触する水平接触面１２は、前記垂直接触面９に対し直角状に形成されている。
【００２２】
前記板状支持部１の下方部を一側方に直角状に折曲して折曲部１３を形成する。脚部２の前方端部には、屋根を構成し葺き込まれている平葺き亜タン屋根板材又はコロニアル屋根板材ｄ等の前方端縁部１５に引掛ける引掛け部１６を設けた脚部である。この脚部２の後方部と前記板状支持部１の折曲部１３とを固定具１７等を介して接着する。
【００２３】
さらに前記板状支持部１の折曲部１３と脚部２との接着は、図面では前記板状支持部１の下方部の折曲部１３の折曲方向が一方が右側方に直角状に折曲したり、あるいは折曲部１３が左側方に折曲しているが、本発明の場合、折曲方向については限定しない。
【００２４】
ｂはプランターＰを嵌挿し、しかも保持するプランター保持機構であり、以下の構成からなっている。
【００２５】
前記引掛け係止体ａは、前記屋根板材ｄの上面に所定の間隔おきに２個以上前記脚部２の引掛け部１６を重合している屋根板材ｄの間に挿込み下方の屋根板材ｄの前方端縁部１５に引掛け前記屋根板材ｄに係止させる。
【００２６】
そのため前記引掛け係止体ａ、ａは、両係止体ａ、ａとの間に前記プランター保持機構ｂが配置可能な形状にて並列する。
【００２７】
１８はプランターＰの底面部２５を載置し、且保持する保持部であり、左右両サイドにスライドして長短調節ができるように形成する。この保持部１８は、その左側端部１９と右側端部２０とを上方に折曲して折曲部２１、２２を夫々形成する。
【００２８】
さらに前記保持部１８は、前記脚部２より若干上方部位に位置させる構造とする。
【００２９】
２３は前記両折曲部２１、２２より外側方に水平状に突出する引掛け部であり、前記両サイドの引掛け部２３の夫々の端部に膨出部２４を形成する。
【００３０】
３０は前記前後方保持部２８、２９の上方端部を外側方にかぎ状に折曲した保持引掛け部である。これら保持引掛け部３０は、針金もしくは紐等をしばりつけ、プランターＰが離脱しないように固定するときに使用する。
【００３１】
以上がプランター保持機構ｂの構成である。
【００３２】
本発明は、屋根上にセットするときは、１本の引掛け係止体ａを図２のように脚部２の引掛け部１６を屋根板材ｄの前方端縁部１５に引掛けてやる。しかる後プランターＰの長さに応じて、別設の引掛け係止体ａを前記係止体ａと同じセット手法にて、前記係止体ａと所定の間隔をあけてセットする。
【００３３】
前記のように係止体ａをセットした後、プランター保持機構ｂの両サイドの引掛け部２３を、係止体ａの引掛け係止部４の凹部５に挿入すると、図２のように屋根勾配に対し、プランター保持機構ｂは水平状態を確保している。さらにプランターＰも同じように水平状態となっている。
【００３４】
本発明は上記のように屋根上にセットするときは、プランター保持具として使用できる。
【００３５】
前記プランター保持機構ｂは、両サイドより突出の引掛け部２３を凹部５に挿入すると、引掛け部２３の形状が線状のときは、凹部５内に確実に嵌込んでいる。さらに凸部６によって前記引掛け部２３が開口部の方向には飛出のおそれはない。
【００３６】
つぎに冬季になったら、前記プランター保持機構ｂだけを取外し、３角形状の嵌挿孔８内に雪止め用Ｌ型アングルｃを挿通する。
【００３７】
そのため前記Ｌ型アングルｃによって、積雪は確実に雪止めされる。
【００３８】
そして春季等になったら、前記Ｌ型アングルｃを取外し、再度プランター保持機構ｂを前記係止体ａに引掛け係止させれば、好みに応じた花壇としてのプランターＰを嵌挿し、花をながめることができる。
【００３９】
さらに本発明は、前記のように屋根上にセットし、雪止め具として併用できるメリット以外に利用できる。
【００４０】
それは前記したように、家屋の外側壁面部又は外塀に、脚部２の引掛け部６を引掛けるか、もしくは脚部２を打ちつけ使用してもよい。さらに前記とは別個に脚部２を取外し、支持部１の折曲部１３に形成の小孔を利用し、釘等を打ち付け取着してもよい。このとき係止体ａが前記屋根上にセットしたときと若干異なるが、プランター保持機構ｂは水平状態を確実に保持し引っ掛っている。嵌挿したプランターＰも前記保持機構ｂに比例して水平状態を確保しているので、花壇としての利用ができる。
【００４１】
さらに本発明は、室内の側壁面部に前記係止体ａの脚部２を取着し、前記同様プランター保持機構ｂを引掛けることによって、プランターＰも比例して水平状態が確保できる。
【００４２】
従って、花壇としての機能の外に、小物、道具入れ等としての利用もできる。
【００４３】
前記のように屋根以外の使用時には、脚部２を除去してもよい。
【００４４】
【発明の効果】
請求項１記載の発明は、板状支持部の上方部の前面部に開口状にして、且内側方に切欠する引掛け係止部を有し、内側部にＬ型アングルが挿通する嵌挿孔を、下方部に屋根板材に引掛け係止する引掛け部を前方端部に形成する脚部からなる引掛け係止体を設け、前記引掛け係止体の引掛け係止部に挿入し引掛ける引掛け部を両端部に設け、前記引掛け部の間に、プランター等の保持部を有するプランター保持機構を設け、前記引掛け係止体を所定の間隔を設けて屋根板材の前方端縁部に引掛けた後、前記引掛け係止体の引掛け係止部に前記プランター保持機構の引掛け部を挿入したり、あるいは前記プランター保持機構を取外しＬ型アングルを挿通せしめる雪止め金具兼用プランター等保持具なので、プランター保持機構を確実に引掛け係止して容易に離脱させない利点と、Ｌ型アングルを挿込せしめて雪止めとして使用できる利点がある。
【００４５】
請求項２記載の発明は、前記引掛け係止体の引掛け係止部は、前記プランター保持機構の引掛け部が挿入したら容易に離脱しないように凹部を１個ないし複数形成する雪止め金具兼用プランター等保持具なので、請求項１記載の発明と同じ効果を有していると共に、プランター保持機構の線状の引掛け部が容易に離脱しない利点を有している。
【００４６】
請求項３記載の発明は、前記引掛け係止体の下方部の端部を、直角状に折曲して水平状の折曲状底部を形成すると共に、前記脚部は板状とし、前記折曲状底部と脚部とを接着せしめる雪止め金具兼用プランター等保持具なので、請求項１又は請求項２記載の発明と同じ効果を有し、さらに組立て作業が極めて容易となり、安価に製作できる。
【００４７】
請求項４記載の発明は、前記引掛け係止体の嵌挿孔を、３角形状にする雪止め金具兼用プランター等保持具なので、請求項１〜３記載の発明と同じ効果を有していると共に、Ｌ型アングルを簡単且迅速に挿通し、雪止め具として併用できる利点がある。
【００４８】
請求項５記載の発明は、前記プランター保持機構は、プランター等の底壁面部を保持する保持部と、前記保持部の左側端部と右側端部とを上方に折曲して折曲部を夫々形成し、且前記両折曲部に引掛け部を取着し、前記プランター等の前方壁面部と後方壁面部を保持する前方保持部と後方保持部を形成せしめる雪止め金具兼用プランター等保持具なので、請求項１〜４記載の発明と同じ効果を有していると共に、プランターをより確実に嵌挿せしめることができる。
【図面の簡単な説明】
【図１】本発明雪止め金具兼用プランター等保持具の斜視図である。
【図２】同使用状態の縦断側面図である。
【図３】同プランターを除去した状態の斜視図である。
【図４】同Ｌ型アングルを挿通した状態の斜視図である。
【符号の説明】
ａ            引掛け係止体
ｂ      プランター保持機構
ｃ      Ｌ型アングル
Ｐ      プランター
１      支持部
２      脚部
３      上方部
３ａ    前面部
４      引掛け係止部
５      凹部
６      凸部
７      前方側面部
８      嵌挿孔
９      垂直接触面
１０    垂直部
１１    水平面
１２    水平接触面
１３    折曲部
１５    前方端縁部
１６    引掛け部
１７    固定具
１８    保持部
１９    左側端部
２０    右側端部
２１    折曲部
２２    折曲部
２３    引掛け部
２４    膨出部
２６    前方壁面部
２７    後方壁面部
２８    前方保持部
２８ａ  底部
２９    後方保持部
３０    保持引掛け部
【図１】
2005016049.tif 000003
【図２】
2005016049.tif 000004
【図３】
2005016049.tif 000005
【図４】
2005016049.tif 000006